(57)【要約】      （修正有）【課題】シンプルな構造であるにもかかわらず、雨水や雪、融雪水等の浸入を防止する機能を損ねることなく、通気性を格段に向上させることができて発汗等による蒸れを防止でき、雨中、雪中の長時間に亘る作業や雨中、雪中の屋外スポーツ等を行う場合に好適な、優れた多機能性とデザイン性を兼ね備えた通気性レインウェアを提供する。【解決手段】通気性レインウェア上衣の特徴は、防水性を有する表地と、通気性を有する裏地とを縫製することによりこれらの間に通気路を有し、肩部には肩通気部を形成するとともに、前身頃の両胸部には胸ベンチレーション部を形成し、前身頃の腹部にはベンチレーションポケット部を形成し、後身頃には後身頃通気部７４と腰ベンチレーション部を形成している。【選択図】図１２
0003134972.tif 000002
【実用新案登録請求の範囲】
【請求項１】
防水性を有する生地を用いた表地と、通気性を有する生地を用いた裏地とを縫製することにより前記表地と前記裏地との間に通気路を有する通気性レインウェア上衣であって、
肩部には、通気性を有する生地を裏地に縫着して他の裏地部分よりも厚めにしてなる肩通気部を形成するとともに、前身頃の両胸部には、身巾方向に延びる開口を形成し、かつ、この開口において前記表地を下向きに重ねて下向きの通気開放口を設けることにより前記通気路と外気とを連通させた胸ベンチレーション部を形成し、
前記前身頃の腹部には、通気性を有する生地を袋状に縫製してなるポケット袋を縫着し、かつ、このポケット袋の開口において前記表地を重ねて下向きまたは斜め下向きのポケットを設けることにより前記ポケット袋を通じて前記通気路と外気とを連通させたベンチレーションポケット部を形成し、
後身頃には、下部側を表地で構成するとともに上部側を通気性を有する生地で構成し、さらに、前記後身頃の上部を前記表地からなる背ヨークで被覆してなる後身頃通気部を形成し、前記背ヨークの下縁を前記後身頃の境目より下方に延伸して下向きの通気開放口を設けることにより前記通気路と外気とを連通させた腰ベンチレーション部を形成したことを特徴とする通気性レインウェア上衣。
【請求項２】
請求項１において、少なくとも前記胸ベンチレーション部の通気開放口と前記腰ベンチレーション部の通気開放口のいずれかの一部を閉じてなる、通気性レインウェア上衣。
【請求項３】
防水性を有する生地を用いた表地と、通気性を有する生地を用いた裏地とを縫製することにより前記表地と前記裏地との間に通気路を有する通気性レインウェア下衣であって、
臀部上部における通気性レインウェア上衣によって隠れる部分には、身巾方向に延びる開口を形成するとともに、この開口を通気性を有する生地を用いて前記表地と縫製することにより前記通気路と外気とを連通させた臀部上ベンチレーション部を形成し、
膝下後背部には、身巾方向に延びる開口を形成し、かつ、この開口において前記表地を下向きに重ねて下向きの通気開放口を設けることにより前記通気路と外気とを連通させた膝下後背ベンチレーション部を形成したことを特徴とする通気性レインウェア下衣。
【請求項４】
請求項３において、腰下部で、かつ、前記通気性レインウェア上衣によって隠れる部分には前記表地を重ねて通気開放口を設けることにより前記通気路と外気とを連通させた腰下両側ベンチレーション部を形成した、通気性レインウェア下衣。
【請求項５】
請求項３または４において、前記膝下後背ベンチレーション部の通気開放口の一部を閉じてなる、通気性レインウェア下衣。
【請求項６】
請求項３から５のいずれかにおいて、防水性を有する生地を縫製してなる脛下防水部を形成するとともに、前記脛下防水部に脚部の長さを調整するための長さ調整用機構を形成した、通気性レインウェア下衣。
【考案の詳細な説明】
【技術分野】
【０００１】
本考案は、レインウェアに関し、特に、雨水や雪、融雪水等の浸入を防止する機能を損ねることなく、通気性を格段に向上させることができるように構成された通気性レインウェアに関するものである。
【背景技術】
【０００２】
従来より、通気性を高めて発汗による蒸れを防止することで、雨中、雪中の作業等に適するとしたレインウェアが提案されている。これらは、メッシュからなる通気部を部分的に形成して防水加工した布帛で被覆するものや、ポケット等に通気開口部を設けたもの等、部分的に通気性を高めたものや、透湿性能のある布帛で縫製されたものが一般的である。
【０００３】
例えば、実用新案登録第３０４５９５４号公報や特開平７−２７８９１３号公報には、後身頃の一部をメッシュ状布帛で縫製し、当該メッシュ状布帛とその下端に繋がる後身頃部分を、防水加工した布帛で被覆した通気性ウェアが提案されている（特許文献１および２）。また、特開２００４−３００６１８号公報には、大腿部後背面と膝下略全周に通気開口部を設けた防水性ズボンが提案されている（特許文献３）
【０００４】
一方、特開２００３−１４７６１２号公報には、片側が多孔性層、他方の側が透湿性フィルム層であって、着用時に透湿性フィルム層側が外側となるように構成されているレインウェアが提案されている（特許文献４）
【０００５】
【特許文献１】実用新案登録第３０４５９５４号公報
【特許文献２】特開平７−２７８９１３号公報
【特許文献３】特開２００４−３００６１８号公報
【特許文献４】特開２００３−１４７６１２号公報
【考案の開示】
【考案が解決しようとする課題】
【０００６】
しかしながら、上記文献１〜４に記載された発明のように、ウェア上衣やウェア下衣の一部に通気開口部を形成することで部分的に通気性を高めたものや透湿性素材により通気性を高めたものでは、雨中、雪中の作業を長時間行う等の場合の多量な発汗による蒸れに対応することができないという問題がある。
【０００７】
また、仮に通気開口部を多く形成することにより通気性を高めたとしても、雨水や雪、融雪水等の浸入を防止する機能が損なわれてしまい、レインウェアとして機能しないこととなる。一方、より透湿性の優れた素材を採用することにより通気性を高めようとすれば、優れた素材ほど原材料コストが膨大になり、汎用品であるレインウェアの原材料に用いることは困難である。
【０００８】
一方、最近では複雑な構造を有するベンチレーション部を形成したレインウェアも提案されているが（特許文献１〜３）、これらは雨水や雪、融雪水等の浸入防止の機能を向上させるためのものであり、従来のレインウェアの通気性を格段に向上させるものではない。特に重労働作業者によって利用される場合、汗により身体とレインウェアとの間が密着しやすいため、単にいくつかのベンチレーション部を形成したとしても簡単に通気性がよくならない。よってレインウェアの内側の空気の流れと、外気との交換作用を考慮した構造、さらには労働作業の動作に伴った気流の発生を加味しなければならない。
【０００９】
本考案は、上記問題を解決するためになされたものであり、シンプルな構造であるにもかかわらず、雨水や雪、融雪水等の浸入を防止する機能を損ねることなく、通気性を格段に向上させることができて発汗等による蒸れを防止でき、雨中、雪中の長時間に亘る作業や雨中、雪中の屋外スポーツ等を行う場合に好適な、優れた多機能性とデザイン性を兼ね備えた通気性レインウェアを提供することを目的としている。
【課題を解決するための手段】
【００１０】
本考案に係る通気性レインウェア上衣の特徴は、防水性を有する生地を用いた表地と、通気性を有する生地を用いた裏地とを縫製することにより前記表地と前記裏地との間に通気路を有する通気性レインウェア上衣であって、肩部には、通気性を有する生地を裏地に縫着して他の裏地部分よりも厚めにしてなる肩通気部を形成するとともに、前身頃の両胸部には、身巾方向に延びる開口を形成し、かつ、この開口において前記表地を下向きに重ねて下向きの通気開放口を設けることにより前記通気路と外気とを連通させた胸ベンチレーション部を形成し、前記前身頃の腹部には、通気性を有する生地を袋状に縫製してなるポケット袋を縫着し、かつ、このポケット袋の開口において前記表地を重ねて下向きまたは斜め下向きのポケットを設けることにより前記ポケット袋を通じて前記通気路と外気とを連通させたベンチレーションポケット部を形成し、後身頃には、下部側を表地で構成するとともに上部側を通気性を有する生地で構成し、さらに、前記後身頃の上部を前記表地からなる背ヨークで被覆してなる後身頃通気部を形成し、前記背ヨークの下縁を前記後身頃の境目より下方に延伸して下向きの通気開放口を設けることにより前記通気路と外気とを連通させた腰ベンチレーション部を形成した点にある。
【００１１】
ここでベンチレーション（ventilation）とは、直訳すれば、換気、空調、通気、通風の意味であるが、特に、通気性レインウェア内部の過剰な熱を外に逃がして蒸れを防止することにより、通気性レインウェア内部の温度や体温の調節を行うことができる機能をいい、ベンチレーション部という場合は、前記機能を有する構造をいう。
【００１２】
また、本考案に係る通気性レインウェア上衣において、少なくとも前記胸ベンチレーション部の通気開放口と前記腰ベンチレーション部の通気開放口のいずれかの一部を閉じてなることが好ましい。
【００１３】
一方、本考案に係る通気性レインウェア下衣の特徴は、防水性を有する生地を用いた表地と、通気性を有する生地を用いた裏地とを縫製することにより前記表地と前記裏地との間に通気路を有する通気性レインウェア下衣であって、臀部上部における通気性レインウェア上衣によって隠れる部分には、身巾方向に延びる開口を形成するとともに、この開口を通気性を有する生地を用いて前記表地と縫製することにより前記通気路と外気とを連通させた臀部上ベンチレーション部を形成し、膝下後背部には、身巾方向に延びる開口を形成し、かつ、この開口において前記表地を下向きに重ねて下向きの通気開放口を設けることにより前記通気路と外気とを連通させた膝下後背ベンチレーション部を形成した点にある。
【００１４】
また、本考案に係る通気性レインウェア下衣において、腰下部で、かつ、前記通気性レインウェア上衣によって隠れる部分には前記表地を重ねて通気開放口を設けることにより前記通気路と外気とを連通させた腰下両側ベンチレーション部を形成することが好ましい。
【００１５】
また、本考案に係る通気性レインウェア下衣において、前記膝下後背ベンチレーション部の通気開放口の一部を閉じてなることがより好ましい。
【００１６】
また、本考案に係る通気性レインウェア下衣において、防水性を有する生地を縫製してなる脛下防水部を形成するとともに、前記脛下防水部に脚部の長さを調整するための長さ調整用機構を形成することがさらに好ましい。
【考案の効果】
【００１７】
本考案に係る通気性レインウェアによれば、シンプルな構造であるにもかかわらず、優れた多機能性とデザイン性を兼ね備えつつ、雨水や雪、融雪水等の浸入を防止する機能を損ねることなく、通気性を格段に向上させることができて発汗等による蒸れを防止でき、例えば、雨中、雪中の長時間に亘る作業や雨中、雪中の屋外スポーツ等を行う場合に役割を果たすことができる。
【考案を実施するための最良の形態】
【００１８】
以下、本考案に係る通気性レインウェアの実施形態について図面を用いて説明する。
【００１９】
図１は、本考案の実施形態における通気性レインウェア上衣１を示す正面図、図２は背面図である。図３は、本考案の実施形態における通気性レインウェア上衣１の内部基本構造を示す拡大図である。図４、図５、図６、および図７は、図１または図２における肩通気部１８、胸ベンチレーション部１９ａ、ベンチレーションポケット部１９ｂ、および腰ベンチレーション部１９ｃの構造を示す拡大図である。図８は、背ヨーク１３を剥がした場合の腰ベンチレーション部１９ｃの内部構造を示す拡大図である。図９は、本考案の実施形態における通気性レインウェア下衣２の正面図、図１０は背面図である。図１１は、図１０における膝下後背ベンチレーション部２４ｂ、脛下防水部２５、および長さ調整用機構の構造を示す拡大図である。図１２は、本考案の実施形態における通気性レインウェア上衣１および通気性レインウェア下衣２の使用状態図である。
【００２０】
まず、本考案の実施形態における通気性レインウェア上衣１について説明する。図１および図２に示すように、通気性レインウェア上衣１は、それぞれ表地を防水加工した前身頃１１と、後身頃１２と、背ヨーク１３と、袖部１４，１４と、襟部１５とから形成されている。
【００２１】
本考案の実施形態における通気性レインウェア上衣１では、図１および図３に示すように、機能性およびデザイン性等の観点からファスナー４４およびファスナーカバー１６を備えている。本考案の実施形態におけるファスナーカバー１６の表地と裏地は、共に防水加工されている。また、図３に示すように、ファスナー４４が雨水や雪、融雪水等に晒されて、雨水等がファスナー４４から浸入するのを防ぐため、ファスナーカバー１６を前身頃１１に係止するための面ファスナー４５が備えられているが、ファスナー４４から雨水等が浸入するのを防ぐ構造であれば特に限定されない。
【００２２】
また、襟部１５にはフード３が着脱自在に取り付けられている。本考案の実施形態におけるフード３は、フード３の下縁部に図示しない凹状のスナップボタンを、襟部１５の付け根に図示しない凸状のスナップボタンをそれぞれ備えることにより、襟部１５の付け根で係止することができるが、特に限定されるものではない。一方、本考案の実施形態における袖口部１７は、雨水等の浸入防止効果を向上させるため、および機能性やデザイン性の観点から、ゴムによる伸縮構造と面ファスナーによる絞り構造との２つの構造を備えているが、雨水等が浸入するのを防ぐ構造を備えていれば、構造やその数は特に限定されるものではない。
【００２３】
次に、前身頃１１、後身頃１２、背ヨーク１３、袖部１４、襟部１５、およびフード３における内部の基本構造は、図３に示すように、防水加工した生地からなる表地４１と、通気性のある生地からなる裏地４２とを、表地４１と裏地４２との間に通気路４３を確保できるように縫製して形成されている。
【００２４】
なお、本考案の実施形態における表地４１には、防水性と光沢に優れたポリウレタン加工されたナイロン（以下、「ＰＵ加工ナイロン」という。）が用いられているが、防水性を有する生地であれば特に限定されず、例えばポリエステル等を用いてもよい。また、本考案の実施形態における裏地４２には、通気性とデザイン性に優れたポリエステルメッシュが用いられているが、通気性を有する生地であれば特に限定されず、例えばアラミド繊維等を用いてもよい。
【００２５】
次に、本考案の実施形態における通気性レインウェア上衣１では、図４に示すように、肩部には、通気性を有する生地を裏地４２に縫着して他の裏地部分よりも厚めにしてなる肩通気部１８が形成されている。肩通気部１８は、表地４１と裏地４２に挟まれるため、通気路４３と連通している。本考案の実施形態における肩通気部１８は、裏地４２と同じポリエステルメッシュを複数重ねることにより形成されているが、通気性を有する生地を縫着して形成できるのであればこれに限られない。
【００２６】
また、本考案の実施形態における通気性レインウェア上衣１では、前身頃１１の両胸部に、身巾方向に胸ベンチレーション部１９ａを形成している。図５に示すように、本考案の実施形態における胸ベンチレーション部１９ａは、身巾方向に延びる開口を形成し、この開口において表地により形成された胸開口カバー５１を、前身頃１１の表地４１に対し下向きに重ね、胸通気開放口５３を設けることにより形成されている。この胸通気開放口５３は、前身頃１１の表地４１と裏地４２との間に形成されている通気路４３と繋がっているため、通気路４３は胸ベンチレーション部１９ａを介して外気と連通している。
【００２７】
なお、図５に示すように、本考案の実施形態における胸ベンチレーション部１９ａは、雨水等の浸入防止の機能を向上させるため、およびデザイン性の観点から、通気開放口の中央を縫製して形成した胸閉口部５２を備えている。本考案の実施形態における通気性レインウェア上衣１では、胸ベンチレーション部１９ａにおいて胸通気開放口５３の一部を閉じた胸閉口部を形成することが好ましいが、例えば、胸開口カバー５１の下方向幅が十分であることにより雨水等の浸入防止の機能が担保されるのであれば、胸閉口部を備えなくても構わない。
【００２８】
次に、本考案の実施形態における通気性レインウェア上衣１では、前身頃１１の腹部にベンチレーションポケット部１９ｂを形成している。図６に示すように、本考案の実施形態におけるベンチレーションポケット部１９ｂは、通気性を有する生地を袋状に縫製したポケット袋６３を縫着し、このポケット袋６３の開口を、表地を重ねて形成したフラップ６１により被覆することにより形成されている。また、本考案の実施形態におけるベンチレーションポケット部１９ｂは、開口が下方へ垂れ下がってベンチレーションポケット部１９ｂ自体の形が崩れてしまい、防水性やデザイン性が損なわれてしまうのを防ぐため、適宜、折返し構造６２を備えている。
【００２９】
折返し構造６２は、開口の上縁部の表地を折り返して形成されている。また、ポケット袋６３は、前身頃１１の表地４１と裏地４２に挟まれるため、通気路４３と連通している。これにより通気路４３は、ベンチレーションポケット部１９ｂを介して外気と連通することができる。さらに、フラップ６１を閉じた状態にしておけば、雨水等の浸入を防止することができる。
【００３０】
なお、本考案の実施形態におけるポケット袋６３は、裏地４２と同じポリエステルメッシュを袋状に縫製して形成されているが、通気性を有する生地で形成できるのであればこれに限られない。また、本考案の実施形態におけるベンチレーションポケット部１９ｂは、ポケットとしての機能を発揮し、かつ雨水等の侵入を防止するために、斜め下向きに形成されているが、下向きに形成してもよい。
【００３１】
次に、本考案の実施形態における通気性レインウェア上衣１では、後身頃１２は表地からなる後身頃下部７３と通気性を有する生地からなる後身頃上部７１とからなり、後身頃上部７１を表地からなる背ヨーク１３で被覆している。また、後身頃上部７１と背ヨーク１３の重なりにより後身頃通気部７４を形成し、背ヨーク下縁７６を、後身頃１２の後身頃下部７３との境目より下方に延伸して下向きの腰通気開放口７５を設けることにより腰ベンチレーション部１９ｃを形成している。
【００３２】
図８に示すように、通気性を有する生地からなる後身頃上部７１は、裏地４２の外側に形成され、裏地４２と背ヨーク１３に挟まれるため、図７に示すように、後身頃通気部７４は通気路４３と一体となる。これにより通気路４３は、腰ベンチレーション部１９ｃを介して外気と連通している。
【００３３】
なお、本考案の実施形態における後身頃上部７１には、裏地４２と同じポリエステルメッシュを用いているが、通気性を有する生地を用いるのであればこれに限られない。また、本考案の実施形態においては、図２および図７に示すように、背ヨーク１３と後身頃下部７３とを連結する上衣後身頃ホック７２ａおよび７２ｂを一部に２つずつ備えている。本考案の実施形態における上衣後身頃ホック７２ａは凹状スナップボタン、上衣後身頃ホック７２ｂは凸状スナップボタンである。これにより腰通気開放口７５が大きく開くことを防止でき、雨水等の浸入を防止することやデザイン性を確保することができる。なお、雨水等の浸入を防止することができるのであれば、上衣後身頃ホック７２ａおよび７２ｂの個数は限られず、また、背ヨーク下縁７６の下方向幅が十分であることにより雨水等の浸入を防止することができるのであれば、上衣後身頃ホック７２ａおよび７２ｂを備えなくても構わない。
【００３４】
次に、本考案の実施形態における通気性レインウェア下衣２について説明する。図９および図１０に示すように、通気性レインウェア下衣２は、それぞれ表地を防水加工した下衣前身頃２１と、下衣後身頃２２と、胴バンド部２３とから構成されている。下衣前身頃２１および下衣後身頃２２の内部の基本構造は、本考案の実施形態における通気性レインウェア上衣１と同様、図３に示すように、防水加工した生地からなる表地４１と、通気性のある生地からなる裏地４２とを、表地４１と裏地４２との間に通気路４３を確保できるように縫製して形成されている。また、本考案の実施形態における胴バンド部２３は、機能性およびデザイン性等の観点から、伸縮性のあるゴムバンドを表地４１で被覆して縫製することにより形成されているが、胴に密着するような構造を備えていればよく、例えば、ベルトを用いた構造等であってもよい。
【００３５】
本考案の実施形態における通気性レインウェア下衣２では、下衣後身頃２２の臀部上部において、通気性レインウェア上衣１の後身頃下部７３によって隠れる部分に臀部上ベンチレーション部２４ａを形成している。図１０に示すように、本考案の実施形態における臀部上ベンチレーション部２４ａは、身巾方向に延びる開口を形成し、この開口を通気性を有する生地を用いて表地４１と縫製することにより形成されている。
【００３６】
図１０に示すように、臀部上ベンチレーション部２４ａは通気路４３と直結しており、これにより通気路４３は、臀部上ベンチレーション部２４ａを介して外気と連通している。なお、本考案の実施形態における臀部上ベンチレーション部２４ａは、ポリエステルメッシュにより形成されているが、通気性を有する生地で形成できるのであればこれに限られない。
【００３７】
また、本考案の実施形態における通気性レインウェア下衣２では、下衣後身頃２２の膝下後背部に、膝下後背ベンチレーション部２４ｂを形成している。図１１に示すように、本考案の実施形態における膝下後背ベンチレーション部２４ｂは、身巾方向に延びる開口を形成し、この開口において表地により形成された膝下後背部開口カバー８１を、下衣後身頃２２の表地４１に対し下向きに重ね、下向きの膝下後背通気開放口８３を設けることにより形成されている。膝下後背通気開放口８３は、下衣後身頃２２の表地４１と裏地４２との間に形成されている通気路４３と繋がっているため、通気路４３は膝下後背ベンチレーション部２４ｂを介して外気と連通している。
【００３８】
なお、図１１に示すように、本考案の実施形態における膝下後背ベンチレーション部２４ｂは、雨水等の浸入防止の機能を向上させるため、およびデザイン性の観点から、通気開放口の中央を縫製して形成した膝下後背閉口部８２を備えている。本考案の実施形態における通気性レインウェア下衣２では、膝下後背ベンチレーション部２４ｂにおいて膝下後背通気開放口８３の一部を閉じた膝下後背閉口部８２を形成することが好ましいが、例えば、膝下後背部開口カバー８１の下方向幅が十分であることにより雨水等の浸入防止の機能が担保されるのであれば、膝下後背閉口部８２を形成しなくてもよい。
【００３９】
また、本考案の実施形態における通気性レインウェア下衣２では、腰下部で、かつ、通気性レインウェア上衣１によって隠れる部分に腰下両側ベンチレーション部２４ｃを形成している。図９に示すように、本考案の実施形態における腰下両側ベンチレーション部２４ｃは、腰下の両側で、通気性レインウェア上衣１の後身頃下部７３によって隠れる部分に、表地４１を重ねて通気開放口を設けることにより形成されている。腰下両側ベンチレーション部２４ｃは通気路４３と直結しており、これにより通気路４３は、腰下両側ベンチレーション部２４ｃを介して外気と連通している。また、当該通気開放口には、適宜、面ファスナー等からなる閉口部を形成することができる。本考案の実施形態における腰下両側ベンチレーション部２４ｃでは、当該通気開放口に、面ファスナーから形成された閉口部を備えている。
【００４０】
次に、本考案の実施形態における通気性レインウェア下衣２では、脛下防水部２５を形成するとともに、脛下防水部２５に脚部の長さを調整するための長さ調整用機構を形成している。本考案の実施形態における脛下防水部２５は、防水性を有する生地を縫製して形成されている。具体的には、脛下防水部裏地９１は裏地４２と同じＰＵ加工ナイロンで縫製されている。
【００４１】
また、本考案の実施形態における長さ調整用機構は、凸状のスナップボタン等からなる脛下防水部ホック９２ａと、凹状のスナップボタン等からなる脛下防水部ホック９２ｂとから構成された係止具からなり、脛下防水部２５を内折りにするように、脛下防水部ホック９２ａと脛下防水部ホック９２ｂを係止することでデザイン性を保持しつつ長さ調節が行われる。なお、本考案の実施形態における長さ調整用機構は、脛下防水部において長さ調節が可能であれば、いかなる機構でもよく、例えば、身巾方向に縫着したファスナーにより、膝下防水部が脱着し、長さ調節が可能となる機構等でもよい。
【００４２】
次に、以上のような構成を備えた本考案の実施形態における通気性レインウェア上衣１および通気性レインウェア下衣２の作用につき、図面を参照しつつ説明する。
【００４３】
まず、本考案の実施形態における通気性レインウェア上衣１および通気性レインウェア下衣２の通気性について説明する。本考案の実施形態における通気性レインウェア上衣１および通気性レインウェア下衣２では、脛下防水部２５を除き、図３に示すような裏地４２が内部全体に用いられている。裏地４２としては、ポリエステルメッシュ等の通気性を有する生地が用いられており、長時間の着用や激しい運動等により過剰な熱や発汗による蒸れが内部に生じた場合、過剰な熱や蒸れを素早く通気路４３に排出することができ、これにより内部のべとつき等を防止することができる。
【００４４】
また、図３に示すように、脛下防水部２５を除き、表地４１と裏地４２との間に形成された通気路が、通気性レインウェア上衣１および通気性レインウェア下衣２の内部全体に備わっている。このため、通気性レインウェア上衣１および通気性レインウェア下衣２の内部全体に空気の通り道を造ることができる。裏地４２を通じて通気路４３に放出された過剰な熱や蒸れは熱対流を容易に生じさせ、その結果、過剰な熱や蒸れを通気路４３に拡散させることができる。
【００４５】
次に、胸ベンチレーション部１９ａ、ベンチレーションポケット部１９ｂ、腰ベンチレーション部１９ｃ、臀部上ベンチレーション部２４ａ、膝下後背ベンチレーション部２４ｂ、および好適に形成された腰下両側ベンチレーション部２４ｃの各々を介して、通気路４３は外部と連通していることから、通気路４３に拡散した過剰な熱や蒸れは、外部との連通によりさらに生じた熱対流によって、外部へ放出されるとともに外気を取り込むことになる。特に本実施形態の通気性レインウェア１，２は、建築現場等での労働者に利用されることが多いところ、労働時の動作に伴って通気性レインウェア上衣１および下衣２の内側で容易に空気対流を生じさせ、外気と交換することができる。
【００４６】
さらに、通気路４３に拡散せずに内部に残留した過剰な熱や蒸れが、上昇気流を生じて通気性レインウェア上衣１の肩部に集まる場合がある。一般に、この肩部には上衣１の重りが集中しやすく、また肩との密着度が高いことから、熱や蒸れが滞留しやすい。しかし、本実施形態によれば、図４に示すように、肩通気部１８は他の裏地４２よりも厚めに形成されており、滞留しようとする過剰な熱や蒸れをより吸収し、通気路４３に放出する作用を有している。
【００４７】
以上のように、本考案の実施形態における通気性レインウェア上衣１および通気性レインウェア下衣２は、シンプルな構造であるにもかかわらず、通気性が格段に向上している。
【００４８】
次に、本考案の実施形態における通気性レインウェア上衣１および通気性レインウェア下衣２の、防水性について説明する。本考案の実施形態における通気性レインウェア上衣１および通気性レインウェア下衣２では、図３に示すような表地４１が外部全体に用いられている。表地４１としては、ＰＵ加工ナイロン等の防水性を有する生地が用いられており、雨水や雪、融雪水等の浸入を防止することができる。
【００４９】
また、ファスナー４４を備える場合、雨水等の浸入を防止するため、表地と裏地とが防水性を有する生地で縫製したファスナーカバー１６が備えられている。袖口部１７には、雨水等の浸入を防止するための伸縮構造や絞り構造等が備えられている。また、脛下防水部２５は、地面に跳ね返った雨水等を防水するため、防水性を有する生地を縫製して形成されている。また、首部から雨水等が浸入するのを防ぐため、適宜、フード３を備えられている。
【００５０】
また、胸ベンチレーション部１９ａ、ベンチレーションポケット部１９ｂ、腰ベンチレーション部１９ｃ、臀部上ベンチレーション部２４ａ、膝下後背ベンチレーション部２４ｂ、および好適に形成された腰下両側ベンチレーション部２４ｃは、通気性を保ちつつ防水性を有している。
【００５１】
すなわち、胸ベンチレーション部１９ａは、図５に示すように、防水性を有する表地からなる胸開口カバー５１を表地４１に対して下向きに重ねることにより形成されている。これにより、上体を後方に反った状態でも、胸通気開放口５３が大きく開いて裏地４２が現れることはないので、雨水等の浸入を防止することができる。一方、胸開口カバー５１を表地４１に対し下向きに重ねることにより胸通気開放口５３が形成され、通気性を確保している。また、通気性を担保しつつ雨水等の浸入防止機能を向上させるため、胸通気開放口５３の一部を閉じた胸閉口部を形成することもできる。
【００５２】
ベンチレーションポケット部１９ｂは、図６に示すように、このポケット袋６３の開口を、表地を重ねて形成したフラップ６１により被覆することにより形成されている。フラップ６１を閉じた状態にしておけば、雨水等の浸入を防止することができる。また、斜め下向きまたは下向きに形成されていることにより、雨水等の侵入を防止することができる。一方、フラップ６１を適宜開けることにより、ポケット袋６３を介して通気路４３が外気と連通し、通気性が確保される。
【００５３】
腰ベンチレーション部１９ｃは、図７に示すように、背ヨーク下縁７６を、後身頃１２の後身頃下部７３との境目より下方に延伸することにより形成されている。これにより、例えば上体を前屈した状態でも、腰通気開放口７５が大きく開いて後身頃通気部７４が現れることはないので、雨水等の浸入を防止することができる。また、適宜、上衣後身頃ホック７２ａおよび７２ｂを備えることにより、背ヨーク下縁７６と後身頃下部７３との間の腰通気開放口７５が大きく開くことを確実に防止でき、雨水等の浸入を防止することができる。一方、後身頃上部７１が通気路４３と一体となっていることにより、通気路４３が外気と連通し、通気性が確保される。
【００５４】
臀部上ベンチレーション部２４ａは、図１０に示すように、通気性レインウェア上衣１の後身頃下部７３によって隠れる部分に形成されている。これにより、例えばしゃがんだ状態でも、臀部上ベンチレーション部２４ａが現れることはないので、雨水等の浸入を防止することができる。一方、臀部上ベンチレーション部２４ａが通気路４３と直結していることにより、通気路４３が外気と連通し、通気性が確保される。
【００５５】
膝下後背ベンチレーション部２４ｂは、図１１に示すように、防水性を有する表地からなる膝下後背部開口カバー８１を表地４１に対して下向きに重ねることにより形成されている。これにより、膝を曲げた状態でも、膝下後背通気開放口８３が大きく開いて裏地４２が現れることはないので、雨水等の浸入を防止することができる。一方、膝下後背部開口カバー８１を表地４１に対し下向きに重ねることにより膝下後背通気開放口８３が形成され、通気性を確保している。また、通気性を担保しつつ雨水等の浸入防止機能を向上させるため、膝下後背通気開放口８３の一部を閉じた膝下後背閉口部８２を形成することもできる。
【００５６】
好適に形成された腰下両側ベンチレーション部２４ｃは、図９に示すように、腰下部で、かつ、通気性レインウェア上衣１によって隠れる部分に、表地４１を重ねることにより形成されている。これにより、例えば上体を真横に反らした状態でも、腰下両側ベンチレーション部２４ｃの通気開放口が開くことはないので、雨水等の浸入を防止することができる。また、通気開放口には、適宜、面ファスナー等からなる閉口部を形成することができる。一方、腰下両側ベンチレーション部２４ｃが通気路４３と直結していることにより、通気路４３が外気と連通し、通気性が確保される。
【００５７】
以上のような本考案の実施形態によれば、
１．熱や蒸れが滞留しやすい肩部や胸部、臀部、膝裏等に適宜、ベンチレーションを設けているため、身体の動きに応じて内側の熱や蒸れを外気と交換しやすいことから、シンプルな構造であるにもかかわらず、通気性を格段に向上させることができて発汗等による蒸れを防止できる。
２．通気性を確保しつつ、雨水や雪、融雪水等の浸入を防止する機能を保持することができる
３．部品点数が少なく、構造も複雑でないため、特に製造が容易である。
４．優れた多機能性を有するとともに、デザイン上も感じがよくファッション性に優れる。
５．雨中、雪中の長時間に亘る作業や雨中、雪中の屋外スポーツ等を行う場合に役割を果たすことができる等の効果を奏する。
【００５８】
なお、本考案に係る通気性レインウェア上衣および通気性レインウェア下衣は、前述した使用例に限定されるものではなく、適宜変更することができる。
【００５９】
例えば、本考案の実施形態における通気性レインウェア上衣１では、機能性およびデザイン性等の観点からファスナー４４およびファスナーカバー１６を備えているが、ファスナー４４およびファスナーカバー１６を備えずにセーターのように頭から被るようなものでもよい。この場合、胸部に、身巾方向に両胸にわたって胸ベンチレーション部を１つ形成してもよく、複数の胸ベンチレーション部を直列または並列に形成する等してもよい。また、腹部に、身巾方向に延びる下向きのベンチレーションポケット部を１つ形成してもよく、腹部の両側に形成したベンチレーションポケット部のポケット袋同士を繋いで形成する等してもよい。さらに、着用する人の大きさに合わせて、使用する生地の量や大きさ、縫い目の数を適宜変更して丈や胴回りを変えることができる。
【図面の簡単な説明】
【００６０】
【図１】本考案の実施形態における通気性レインウェア上衣１を示す正面図である。
【図２】本考案の実施形態における通気性レインウェア上衣１を示す背面図である。
【図３】本考案の実施形態における通気性レインウェア上衣１の内部基本構造を示す拡大図である。
【図４】本考案の実施形態における通気性レインウェア上衣１の肩通気部１８の構造を示す拡大図である。
【図５】本考案の実施形態における通気性レインウェア上衣１の胸ベンチレーション部１９ａの構造を示す拡大図である。
【図６】本考案の実施形態における通気性レインウェア上衣１のベンチレーションポケット部１９ｂの構造を示す拡大図である。
【図７】本考案の実施形態における通気性レインウェア上衣１の腰ベンチレーション部１９ｃの構造を示す拡大図である。
【図８】本考案の実施形態における通気性レインウェア上衣１の背ヨーク１３を剥がした場合の腰ベンチレーション部１９ｃの内部構造を示す拡大図である。
【図９】本考案の実施形態における通気性レインウェア下衣２を示す正面図である。
【図１０】本考案の実施形態における通気性レインウェア下衣２を示す背面図である。
【図１１】本考案の実施形態における通気性レインウェア下衣２の膝下後背ベンチレーション部２４ｂ、脛下防水部２５、および長さ調整用機構の構造を示す拡大図である。
【図１２】本考案の実施形態における通気性レインウェア上衣１および通気性レインウェア下衣２の使用状態図である。
【符号の説明】
【００６１】
１    通気性レインウェア上衣
２    通気性レインウェア下衣
３    フード
１１    前身頃
１２    後身頃
１３    背ヨーク
１４    袖部
１５    襟部
１６    ファスナーカバー
１７    袖口部
１８    肩通気部
１９ａ    胸ベンチレーション部
１９ｂ    ベンチレーションポケット部
１９ｃ    腰ベンチレーション部
２１    下衣前身頃
２２    下衣後身頃
２３    胴バンド部
２４ａ    臀部上ベンチレーション部
２４ｂ    膝下後背ベンチレーション部
２４ｃ    腰下両側ベンチレーション部
２５    脛下防水部
４１    表地
４２    裏地
４３    通気路
４４    ファスナー
４５    面ファスナー
５１    胸開口カバー
５２    胸閉口部
５３    胸通気開放口
６１    フラップ
６２    折返し構造
６３    ポケット袋
７１    後身頃上部
７２ａ    上衣後身頃ホック（凹状）
７２ｂ    上衣後身頃ホック（凸状）
７３    後身頃下部
７４    後身頃通気部
７５    腰通気開放口
７６    背ヨーク下縁
８１    膝下後背部開口カバー
８２    膝下後背閉口部
８３    膝下後背通気開放口
９１    脛下防水部裏地
９２ａ    脛下防水部ホック（凸状）
９２ｂ    脛下防水部ホック（凹状）
【図１】
0003134972.tif 000003
【図２】
0003134972.tif 000004
【図３】
0003134972.tif 000005
【図４】
0003134972.tif 000006
【図５】
0003134972.tif 000007
【図６】
0003134972.tif 000008
【図７】
0003134972.tif 000009
【図８】
0003134972.tif 000010
【図９】
0003134972.tif 000011
【図１０】
0003134972.tif 000012
【図１１】
0003134972.tif 000013
【図１２】
0003134972.tif 000014